(57)【要約】【課題】  尾栓の接続部分が損傷するのを防ぐ。【解決手段】  軸筒１０の後端に尾栓３０を装着するようにした筆記具の尾栓取付構造において、軸筒１０は、筒本体１１と、この筒本体１１の後端から、周方向において部分的に後方へ突出する係止部１２と、係止部１２に対し軸筒周方向に間隙ｓを置いて並ぶ保護壁１３とを一体に備え、尾栓３０は、係止部１２及び保護壁１３に対し径方向の外側に嵌り合う筒状に形成されるとともに、係止部１２によって係止される被係止部３３を有する。【選択図】  図２
2018140512.tif 000002
【特許請求の範囲】
【請求項１】
軸筒の後端に尾栓を装着するようにした筆記具の尾栓取付構造において、
前記軸筒は、筒本体と、この筒本体の後端から、周方向において部分的に後方へ突出する係止部と、該係止部に対し軸筒周方向に間隙を置いて並ぶ保護壁とを一体に備え、
前記尾栓は、前記係止部及び前記保護壁に対し径方向の外側に嵌り合う筒状に形成されるとともに、前記係止部によって係止される被係止部を有することを特徴とする筆記具の尾栓取付構造。
【請求項２】
前記尾栓には、前記間隙に嵌り合う嵌合突部が設けられていることを特徴とする請求項１記載の筆記具の尾栓取付構造。
【請求項３】
前記保護壁が軸筒後方へ突出する長さを、前記係止部が軸筒後方へ突出する長さよりも大きくしたことを特徴とする請求項１又は２記載の筆記具の尾栓取付構造。
【請求項４】
前記係止部には、径外方向へ突出して前記被係止部に係止される爪部が設けられ、この爪部の径外方向の突端部は、前記筒本体の外径面よりも径内方向側に位置することを特徴とする請求項１乃至３何れか１項記載の筆記具の尾栓取付構造。
【請求項５】
前記係止部は貫通孔を有し、この貫通孔は、所定の空気流通量を確保する大きさに形成されることを特徴とする請求項１乃至４何れか１項記載の筆記具の尾栓取付構造。
【発明の詳細な説明】
【技術分野】
【０００１】
本発明は、筆記具の軸筒後端側に構成される尾栓取付構造に関するものである。
【背景技術】
【０００２】
従来、この種の発明には、例えば特許文献１に記載されるように、後端側内周面に雌ネジ部を有する軸筒と、前方へ突出する雄ネジ部を有する尾栓とを備え、前記雌ネジ部に対し前記雄ネジ部を螺合させて、これら軸筒と尾栓とを接続するようにした筆記具がある。
ところで、このようなネジ部を用いた接続構造によれば、輸送時の振動や他の物との擦れ等に起因して、尾栓が緩んでしまう場合がある。
そこで、例えば、軸筒の後端側に爪部を設け、この爪部に対し尾栓を係止するようにした接続構造が提案される。
【先行技術文献】
【特許文献】
【０００３】
【特許文献１】特開２０１６−１６８７４８号公報
【発明の概要】
【発明が解決しようとする課題】
【０００４】
しかしながら、前述したように爪部に対し尾栓を係止させる接続構造では、組立て作業中や部品輸送中等における他の部材との接触等に起因して、前記爪部が欠損してしまうおそれがある。
【課題を解決するための手段】
【０００５】
このような課題に鑑みて、本発明は、以下の構成を具備するものである。
軸筒の後端に尾栓を装着するようにした筆記具の尾栓取付構造において、前記軸筒は、筒本体と、この筒本体の後端から、周方向において部分的に後方へ突出する係止部と、該係止部に対し軸筒周方向に間隙を置いて並ぶ保護壁とを一体に備え、前記尾栓は、前記係止部及び前記保護壁に対し径方向の外側に嵌り合う筒状に形成されるとともに、前記係止部によって係止される被係止部を有することを特徴とする筆記具の尾栓取付構造。
【発明の効果】
【０００６】
本発明は、以上説明したように構成されているので、尾栓の接続部分が損傷するのを防ぐことができる。
【図面の簡単な説明】
【０００７】
【図１】本発明に係る尾栓取付構造を適用した筆記具の一例を示す斜視図であり、軸筒の長手方向の中途部分を省略している。
【図２】本発明に係る尾栓取付構造を適用した筆記具の一例について、軸筒から尾栓を取り外した状態を示す斜視図である。
【図３】図１の(III)-(III)線に沿う断面図である。
【図４】尾栓の一例を内側から示す斜視図である。
【図５】軸筒の後端部を示す平面図である。
【発明を実施するための形態】
【０００８】
本実施の形態では、以下の特徴を開示している。
第１の特徴は、軸筒の後端に尾栓を装着するようにした筆記具の尾栓取付構造において、前記軸筒は、筒本体と、この筒本体の後端から、周方向において部分的に後方へ突出する係止部と、該係止部に対し軸筒周方向に間隙を置いて並ぶ保護壁とを一体に備え、前記尾栓は、前記係止部及び前記保護壁に対し径方向の外側に嵌り合う筒状に形成されるとともに、前記係止部によって係止される被係止部を有する。
【０００９】
第２の特徴は、前記尾栓には、前記間隙に嵌り合う嵌合突部が設けられている（図４参照）。
【００１０】
第３の特徴は、前記保護壁が軸筒後方へ突出する長さを、前記係止部が軸筒後方へ突出する長さよりも大きくした（図２参照）。
【００１１】
第４の特徴は、前記係止部には、径外方向へ突出して前記被係止部に係止される爪部が設けられ、この爪部の径外方向の突端部は、前記筒本体の外径面よりも径内方向側に位置する。
【００１２】
第５の特徴は、前記係止部は貫通孔を有し、この貫通孔は、所定の空気流通量を確保する大きさに形成される。
【００１３】
＜具体的実施態様＞
次に、上記特徴を有する具体的な実施態様について、図面に基づいて詳細に説明する。
本明細書中、軸方向とは、軸筒の中心線の延びる方向を意味する。また、「前」とは、前記軸方向の一方側であって筆記部が突出する方向を意味する。また、「後」とは、前記一方側に対する逆方向側を意味する。また、「径方向」とは、前記軸方向に対し直交する方向を意味する。また、「径外方向」とは、前記径方向に沿って軸心から離れる方向を意味する。「径内方向」とは、前記径方向に沿って軸心へ近づく方向を意味する。
【００１４】
図１及び図２に示す筆記具１は、軸筒１０と、軸筒１０後端側の操作駒２１の操作により軸筒１０の前端から筆記部２２ａを出没させる出没機構２０と、軸筒１０の後端開口部を閉鎖する尾栓３０とを備え、軸筒１０の後端側と尾栓３０によって尾栓取付構造Ａを構成している。
【００１５】
軸筒１０は、図２に示すように、筒状の筒本体１１と、この筒本体１１の後端から、周方向において部分的に後方へ突出する係止部１２と、係止部１２に対し軸筒周方向に間隙ｓを置いて並ぶように筒本体１１の後端から後方へ突出する保護壁１３とを一体に具備している。
【００１６】
筒本体１１は、前端側を先細に形成した長尺筒状の部材であり、前後端部をそれぞれ開口している。この筒本体１１は、例えば、単数の円筒状部材から構成してもよいし。複数の円筒状部材を長手方向に接続して構成してもよい。
この筒本体１１は、硬質合成樹脂材料によって形成される。
【００１７】
係止部１２は、周方向に間隔を置いて複数設けられ、図示する好ましい一例によれば、等間隔に２つ設けられる。これら二つの係止部１２，１２は線対称の関係にある。
各係止部１２は、図３に示すように、軸筒中心線と略平行に後方へ延設された基部１２ａと、該基部１２ａの後端側から軸筒径外方向へ突出する爪部１２ｂとから一体に構成される。
【００１８】
基部１２ａは、円弧状の横断面を軸筒軸方向に延設している。この基部１２ａの基端側には、基部１２ａの肉厚を後方へゆくにしたがって増大する補強部１２ｃが設けられる。この補強部１２ｃは、図３に示すように、Ｒ面取り状の外径面を有し、基部１２ａが径方向へ撓んで折れるようなことを防ぐ。
【００１９】
なお、基部１２ａの内面は、図示しない軸筒１０内の構成（例えば、複数の係止部１２の後端部を受ける受け部材等）と干渉しないように平坦面状に形成される。
【００２０】
爪部１２ｂは、基部１２ａの外径面よりも径外方向へ突出しており、その突端部を、保護壁１３の外径よりも若干径外方向側であって、かつ筒本体１１の外径面よりも径内方向側に位置している（図５参照）。
この爪部１２ｂにおける径外方向の突端面と、同爪部１２ｂの後端面との交差部分には、Ｃ面取り状の傾斜面部１２ｄが設けられる（図３参照）。この傾斜面部１２ｄは、爪部１２ｂが尾栓３０の被係止部３３に係止される際に、尾栓３０内壁面に摺接する。
【００２１】
保護壁１３は、軸筒周方向において、複数の係止部１２の間にそれぞれ位置するようにして複数（図示例によれば二つ）設けられる（図２参照）。これら複数の保護壁１３は線対称の関係にある。
各保護壁１３は、筒本体１１の周方向に沿う横断面円弧状に形成され、筒本体１１の後端面から軸筒後方へ延設されている。
各保護壁１３の周方向の端面と、該端面に対向する係止部１２の端面との間には、所定幅の間隙ｓが確保されている。
【００２２】
この保護壁１３の内径は、係止部１２における基部１２ａの内径と略同径である。
そして、保護壁１３の外径は、係止部１２おける基部１２ａの外径よりも若干大きい。
すなわち、保護壁１３の壁厚が、基部１２ａの壁厚よりも大きくなっている。
【００２３】
また、保護壁１３が軸筒後方へ突出する長さは、係止部１２が軸筒後方へ突出する長さよりも若干大きく設定される。
【００２４】
出没機構２０は、軸筒１０の後端側から径外方向へ略放射状に突出し前後方向へスライド可能な複数の操作駒２１、前端側に筆記部２２ａを有するリフィール２２（図示例によればボールペンリフィール）、リフィール２２を後方へ付勢する付勢部材（例えば図示しないコイルスプリング）等を具備し、選択的に操作される操作駒２１の進退に応じて、軸筒１０前端から筆記部２２ａを出没させる。
なお、この出没機構２０は、図示例のものに限定されず、例えば、単数のリフィールの筆記部を出没させる機構や、回転操作によりリフィールの筆記部を出没させる機構等、他の周知の出没機構を適用してもよい。
【００２５】
また、尾栓３０は、係止部１２及び保護壁１３に対し径方向の外側に嵌って重なり合う筒状に形成されるとともに、係止部１２に係止される被係止部３３を有し、硬質合成樹脂材料から一体に形成される。
詳細に説明すれば、この尾栓３０は、短尺筒状の筒部３１と、この筒部３１の後端に接続された後端壁３２とを有する有底筒状に形成され、筒部３１と後端壁３２の交差部分の近傍に、被係止部３３を有し、筒部３１の内周面には、筒本体１１側の間隙ｓに嵌り合う嵌合突部３４を有する。
【００２６】
筒部３１は、保護壁１３の外周面に嵌って重なり合う略円筒状に形成される。
後端壁３２は、保護壁１３の後端部を閉鎖する略円板状に形成される。
【００２７】
被係止部３３は、係止部１２に対応するように、周方向に間隔を置いて複数（図示例によれば二つ）設けられる。
各被係止部３３は、爪部１２ｂが挿入される貫通孔３３ａと、貫通孔３３ａに挿入された爪部１２ｂを係止する段部３３ｂと、爪部１２ｂを貫通孔３３ａへ導くガイド斜面３３ｃとを具備している（図３及び図４参照）。
【００２８】
貫通孔３３ａは、筒部３１と後端壁３２の交差部分を厚み方向へ貫通する孔であり、所定の空気流量を確保する大きさに形成される、前記空気流量は、尾栓３０が万が一誤飲されて喉等に詰まらせた場合でも十分な呼吸が確保されるように適宜に定められている。
【００２９】
段部３３ｂは、貫通孔３３ａ内面における前端側の部分により形成された段部であり、図３に示すように、筒部３１の後部側に軸筒軸方向に対し略直交する面を有する。
【００３０】
ガイド斜面３３ｃは、筒部３１の内周面を軸筒後方へ向かって徐々に縮径するようにして形成された傾斜面である。
このガイド斜面３３ｃは、尾栓３０が軸筒１０後端に装着される際に、係止部１２前端側の傾斜面部１２ｄに摺接して、係止部１２を径内方向へ弾性変形させる。
【００３１】
嵌合突部３４は、図５に示すように、係止部１２の周方向両側の間隙ｓ，ｓに対応して、各貫通孔３３ａの両側に二つ設けられる。各嵌合突部３４は、間隙ｓ内の保護壁１３寄りに位置する。
この嵌合突部３４は、図４に示すように、尾栓３０内の筒部３１と後端壁３２が交差する部分において、後端壁３２内面から軸筒後方へ所定量突出し、かつ筒部３１の内周面から径内方向へ所定量突出している。
嵌合突部３４の軸筒後方側の突端部３４ａ（図４参照）は、間隙ｓにスムーズに挿入されるように、前方へゆくにしたがって周方向の厚みを徐々に減らす断面凸曲状に形成される。
【００３２】
次に、上記構成の尾栓取付構造Ａについて、その特徴的な作用効果を詳細に説明する。
筆記具１を組み立てる際、図２に示すように、軸筒１０側の係止部１２と、尾栓３０側の被係止部３３との周方向位置を合わせるようにして、係止部１２に対し、その後方側から尾栓３０が覆い被せられる。
すると、尾栓３０側の複数の嵌合突部３４が、それぞれ、軸筒１０後端側の間隙ｓに嵌り合う。
そして、軸筒１０に相対し尾栓３０が前進すると、係止部１２が、その後端側の傾斜面部１２ｄを尾栓３０側のガイド斜面３３ｃに摺接させて（図３参照）、軸筒径外方向へ弾性的に撓む。
さらに、尾栓３０が前進すると、爪部１２ｂが貫通孔３３ａに位置した際に弾性的に復元して、爪部１２ｂを貫通孔３３ａ内にて段部３３ｂに係止する。
したがって、係止部１２と被係止部３３の係合により、尾栓３０が軸筒１０後端側に固定される。
【００３３】
前記組立て作業中や、部品としての軸筒１０の搬送中に、仮に軸筒１０の後端側が意図しない物体に当接した場合でも、係止部１２が該物体からの衝撃により損傷するようなことを、係止部１２両側の保護壁１３によって防ぐことができる。
また、前記組立て作業中に、意図せずに尾栓３０に回転方向の力が加わった場合でも、尾栓３０側の各嵌合突部３４が軸筒１０側の間隙ｓに嵌り合って保護壁１３に近接するため（図５参照）、前記回転方向の力が係止部１２に加わるのを防いで、係止部１２の損傷を防ぐことができる。
【００３４】
なお、上記実施の形態によれば、出没式筆記具について尾栓取付構造Ａを適用したが、他例としては、筆記部が出没不能に固定された筆記具について尾栓取付構造Ａを適用することも可能である。
【００３５】
また、上記実施の形態によれば、特に好ましい一例として、被係止部３３が貫通孔３３ａを有する構成としたが、この被係止部３３の他例としては、貫通孔３３ａを有さずに、凹部によって爪部１２ｂを係止する構造とすることも可能である。
【００３６】
また、本発明は上述した実施態様に限定されず、本発明の要旨を変更しない範囲で適宜変更可能である。
【符号の説明】
【００３７】
１：筆記具
１０：軸筒
１１：筒本体
１２：係止部
１２ｂ：爪部
１１：筒本体
１３：保護壁
３０：尾栓
３３：被係止部
３３ａ：貫通孔
３４：嵌合突部
Ａ：尾栓取付構造
ｓ：間隙
【図１】
2018140512.tif 000003
【図２】
2018140512.tif 000004
【図３】
2018140512.tif 000005
【図４】
2018140512.tif 000006
【図５】
2018140512.tif 000007